(57)【要約】【課題】親綱を屋根に設置する際に安全性を確保し、しかも、コスト負担を低減する。【解決手段】第１作業者Ｐ１は、第１位置Ｎ１に第１アンカー２６を置き、その第１アンカー２６について、パイロットライン３１及び親綱を袋体に入れておく。そして、操作棒３２の先端部にパイロットライン３１の一端を接続し、その状態で操作棒３２を持って第１位置Ｎ１側から建物１０の反対側の反対位置に向けて移動する。ここで、操作棒３２の先端部には引っ掛け部３３が設けられており、パイロットライン３１は、そのリング部が引っ掛け部３３に引っ掛けられることで操作棒３２の先端部に接続されている。第１作業者Ｐ１は、反対位置に到着した後、操作棒３２からパイロットライン３１を取り外し、そのパイロットライン３１を反対位置側に回収することで、親綱を屋根１３の上に敷設する。【選択図】      図２
2016008434.tif 000002
【特許請求の範囲】
【請求項１】
建物の屋根に親綱を設置する親綱の設置方法であって、
前記親綱及び該親綱を案内するためのパイロットラインのうち一方を線状部材として操作棒に接続する接続工程と、
前記線状部材を、前記操作棒の操作に伴う繰り出しが可能な状態で、前記建物の側方において地面又は地面付近に設定された仮置き位置に仮置きする仮置き工程と、
前記仮置き位置から引き出された前記線状部材が前記屋根の上に載るように前記操作棒を操作しながら、当該操作棒を前記建物を挟んで前記仮置き位置とは反対側の反対位置に移動させる移動工程と、
前記操作棒に対する前記線状部材の接続を解除する接続解除工程と、
を備えていることを特徴とする親綱の設置方法。
【請求項２】
前記接続工程では、前記親綱及び前記パイロットラインのうち前記パイロットラインを前記線状部材として前記操作棒に接続し、
前記仮置き工程では、前記パイロットラインを前記仮置き位置に仮置きし、
前記移動工程では、前記パイロットラインが前記屋根の上に載るように前記操作棒を移動させ、
前記接続解除工程では、前記操作棒に対する前記パイロットラインの接続を解除し、
さらに、前記親綱に接続された状態の前記パイロットラインを前記仮置き位置側又は前記反対位置側に回収することで、該親綱を前記屋根の上を通って前記仮置き位置側と前記反対位置側とに掛け渡す回収工程を備えていることを特徴とする請求項１に記載の親綱の設置方法。
【請求項３】
前記仮置き工程では、前記パイロットラインに加えて、該パイロットラインにおける前記操作棒とは反対側の端部に接続される前記親綱を、同パイロットラインに続いて引き出される状態で前記仮置き位置に仮置きし、
前記回収工程では、前記パイロットラインを前記反対位置側に回収することを特徴とする請求項２に記載の親綱の設置方法。
【請求項４】
前記仮置き工程では、
前記回収工程を行うことで前記親綱を前記仮置き位置側と前記反対位置側とに掛け渡した状態で該親綱を前記仮置き位置側において地面に対して固定するための固定手段を、同親綱に接続された状態で設置し、
前記回収工程では、前記固定手段との間で前記親綱に張力がかかるまで前記反対位置側に該親綱又は前記パイロットラインを引っ張ることを特徴とする請求項３に記載の親綱の設置方法。
【請求項５】
前記固定手段は、上方に向けて開放された複数の収納部を有しており、
前記仮置き工程では、前記複数の収納部のうち少なくとも１つの収納部に水を入れることで、前記親綱を地面に対して固定する重り部を形成し、該重り部ではない少なくとも１つの収納部に前記パイロットライン及び前記親綱を収納することで、これらパイロットライン及び親綱を前記仮置き位置に仮置きすることを特徴とする請求項４に記載の親綱の設置方法。
【請求項６】
前記操作棒は、前記線状部材が着脱可能に接続される被接続部を有し、該被接続部が当該操作棒の一端に配置された状態のまま伸縮可能になっており、
前記接続工程では、前記操作棒を伸ばす前の状態で前記被接続部に前記線状部材を接続し、
前記移動工程では、伸ばした状態の前記操作棒を用いて前記線状部材を前記屋根の上に載せ、
前記接続解除工程では、前記操作棒を縮めた状態で前記被接続部から前記線状部材を取り外すことを特徴とする請求項１乃至５のいずれか１項に記載の親綱の設置方法。
【請求項７】
前記仮置き工程では、前記建物の側方のうち、前記屋根の上に登るために梯子が設置される側に前記仮置き位置を設定することを特徴とする請求項１乃至６のいずれか１項に記載の親綱の設置方法。
【請求項８】
親綱を建物の屋根の上に設置するために操作される親綱設置用の操作棒であって、
前記親綱及び該親綱を案内するためのパイロットラインのうち一方を線状部材として、該線状部材の端部に着脱可能に引っ掛けることが可能な引っ掛け部が、前記操作棒の先端部に設けられており、
前記引っ掛け部は、当該引っ掛け部が前記線状部材の端部に引っ掛けられた状態を保持する保持状態と、同引っ掛け部を前記線状部材の端部から取り外すことが可能な非保持状態とに移行可能であることを特徴とする親綱設置用の操作棒。
【請求項９】
長尺状の棒本体と、
前記引っ掛け部を有し、前記棒本体の先端部に取り付けられた引っ掛け部材と、
を備えていることを特徴とする請求項８に記載の親綱設置用の操作棒。
【請求項１０】
前記引っ掛け部材は、前記引っ掛け部に加えて、前記棒本体に交差する方向に延びているアーム部を有しており、
前記引っ掛け部は、前記アーム部の自由端側に配置されていることを特徴とする請求項９に記載の親綱設置用の操作棒。
【発明の詳細な説明】
【技術分野】
【０００１】
本発明は、親綱の設置方法及び親綱設置用の操作棒に関するものである。
【背景技術】
【０００２】
住宅等の建物を新築する際や、既存の建物についてメンテナンス作業を行う際に、作業者が屋根の上に登る場合がある。この場合、あらかじめ屋根に親綱を設置しておき、作業者は、自身に装着した安全帯などを親綱に連結することで、梯子の昇降や屋根上での作業について安全性を確保することができる。
【０００３】
屋根に親綱を設置する方法としては、２本の操作棒を用いる方法がある（例えば特許文献１参照）。この方法では、伸縮可能な２本の操作棒の各上端部にパイロットロープを架け渡した状態で、これら操作棒を屋根の高さを越えるまで伸ばし、パイロットロープの繰り出しが可能な一方の操作棒を地面に起立させた状態で保持する一方で、作業者が他方の操作棒を建物の反対側に移動させることで、パイロットロープを屋根の上に架け渡した状態にする。その後、パイロットロープの一端に親綱を接続し、パイロットロープを他端側に引き下ろしてパイロットロープと親綱とを置換することで、その親綱を屋根上に架け渡した状態で設置する。
【先行技術文献】
【特許文献】
【０００４】
【特許文献１】特開２００２−１５５６３２号公報
【発明の概要】
【発明が解決しようとする課題】
【０００５】
しかしながら、２本の操作棒を用いる方法では、一方の操作棒を移動させた際に、パイロットロープを繰り出す方の操作棒が倒れることが懸念される。
【０００６】
そこで、パイロットロープを繰り出す方の操作棒に倒れ防止機能を付与する方法が考えられるが、上記のように操作棒が大型であることからして倒れ防止機能が大袈裟なものになってしまう。また、パイロットロープを繰り出す方の操作棒を他の作業者が手で支えるという方法が考えられるが、これでは、親綱の設置作業を２人の作業者が専任で行うことになり、建築現場の作業人員が増加してしまう。
【０００７】
なお、親綱を設置する方法としては、親綱を操作棒に直接接続し、パイロットロープを用いずに親綱を設置する方法がある。この方法においても、２本の操作棒を用いる場合には、上記のような懸念が生じる。
【０００８】
本発明は、上記事情に鑑みてなされたものであり、親綱を屋根に設置する際に安全性を確保し、しかも、コスト負担を低減することを主たる目的とするものである。
【課題を解決するための手段】
【０００９】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【００１０】
第１の発明の親綱の設置方法は、建物（建物１０）の屋根（屋根１３）に親綱（親綱２５）を設置する親綱の設置方法であって、前記親綱及び該親綱を案内するためのパイロットライン（パイロットライン３１）のうち一方を線状部材として操作棒（操作棒３２）に接続する接続工程と、前記線状部材を、前記操作棒の操作に伴う繰り出しが可能な状態で、前記建物の側方において地面又は地面付近に設定された仮置き位置（第１位置Ｎ１）に仮置きする仮置き工程と、前記仮置き位置から引き出された前記線状部材が前記屋根の上に載るように前記操作棒を操作しながら、当該操作棒を前記建物を挟んで前記仮置き位置とは反対側の反対位置（反対位置Ｍ）に移動させる移動工程と、前記操作棒に対する前記線状部材の接続を解除する接続解除工程と、を備えていることを特徴とする。
【００１１】
第１の発明によれば、親綱やパイロットラインといった線状部材を繰り出し前の状態で地面又は地面付近に仮置きするとともに、作業者が１本の操作棒を用いて線状部材を屋根上に敷設するようにしたため、２本の操作棒を用いる場合とは異なり、移動させない方の操作棒が倒れるということ自体が発生しないため、安全性の低下を防止できる。また、線状部材を繰り出す方の操作棒が倒れないように保持するという必要がないため、倒れ防止機能が付与された操作棒を準備する必要も、線状部材を繰り出す方の作業棒を他の作業者が手で支えるという必要もない。
【００１２】
さらに、操作棒を操作する作業者が建物の反対側に移動した後、線状部材の繰り出しが適正に行われている状況であれば、必ずしも他の作業者を線状部材の仮置き位置に対して配置する必要がない。このため、線状部材の敷設作業を作業者が１人で行うことが可能になる。
【００１３】
以上により、親綱を屋根に設置する際に安全性を確保でき、しかも、コスト負担を低減できる。
【００１４】
なお、操作棒は、移動工程において作業者が当該操作棒を保持した状態で、線状部材を屋根よりも高い位置に持ち上げることが可能な長さ寸法を有していることが好ましい。これにより、線状部材を屋根の上に敷設する作業を操作棒により容易に行うことができる。
【００１５】
第２の発明では、第１の発明において、前記接続工程では、前記親綱及び前記パイロットラインのうち前記パイロットラインを前記線状部材として前記操作棒に接続し、前記仮置き工程では、前記パイロットラインを前記仮置き位置に仮置きし、前記移動工程では、前記パイロットラインが前記屋根の上に載るように前記操作棒を移動させ、前記接続解除工程では、前記操作棒に対する前記パイロットラインの接続を解除し、さらに、前記親綱に接続された状態の前記パイロットラインを前記仮置き位置側又は前記反対位置側に回収することで、該親綱を前記屋根の上を通って前記仮置き位置側と前記反対位置側とに掛け渡す回収工程を備えている。
【００１６】
第２の発明によれば、パイロットラインが線状部材として操作棒に接続されているため、例えば親綱が操作棒に接続された場合に比べて、操作棒を操作して線状部材を屋根の上に載せる作業を容易化できる。
【００１７】
なお、パイロットラインは弾性変形可能な線状部材であることが好ましい。ここで、作業者が操作棒を操作することでパイロットラインを屋根の上に載せる際、そのパイロットラインは、地面近くの仮置き位置から上方に向けて延びた状態になることからして屋根の周縁部や上面に接触する可能性が高く、屋根の凹凸にパイロットラインが引っ掛かることが懸念される。これに対して、パイロットラインが弾性変形可能であれば、例えば弾性変形しないパイロットラインを屋根の上に載せる場合に比べて、作業者は、パイロットラインの弾性変形を利用してそのパイロットラインが屋根の凹凸を乗り越えるように操作棒を操作することが容易になる。
第３の発明では、第１の発明において、前記仮置き工程では、前記パイロットラインに加えて、該パイロットラインにおける前記操作棒とは反対側の端部に接続される前記親綱を、同パイロットラインに続いて引き出される状態で前記仮置き位置に仮置きし、前記回収工程では、前記パイロットラインを前記反対位置側に回収する。
【００１８】
第３の発明によれば、操作棒を保持した作業者が移動を開始するよりも前に、あらかじめパイロットラインと親綱とが接続されているため、作業者が操作棒を持って反対位置に移動した後、その反対位置側にパイロットラインを回収するだけで親綱を屋根の上に通すことができる。このため、パイロットラインを仮置き位置側に回収する場合とは異なり、親綱をパイロットラインとは異なる反対位置側に配置する必要がなく、親綱をパイロットラインと同じ仮置き位置に配置すればよいため、親綱を設置する際の準備作業が容易になる。また、作業者が親綱の設置作業を１人で行う場合に、反対位置に移動した後に再び仮置き位置側に戻ってパイロットラインに親綱を接続するという必要がないため、作業負担を低減できる。
【００１９】
第４の発明では、第３の発明において、前記仮置き工程では、前記回収工程を行うことで前記親綱を前記仮置き位置側と前記反対位置側とに掛け渡した状態で該親綱を前記仮置き位置側において地面に対して固定するための固定手段（第１アンカー２６）を、同親綱に接続された状態で設置し、前記回収工程では、前記固定手段との間で前記親綱に張力がかかるまで前記反対位置側に該親綱又は前記パイロットラインを引っ張る。
【００２０】
第４の発明によれば、仮置き工程が行われた状態では既に親綱が固定手段に接続されているため、回収工程を行うことで親綱を仮置き位置側と反対位置側とに掛け渡した後に、親綱を固定手段との間で張力がかかるまで反対位置側に引っ張ることで、仮置き位置側において固定手段により親綱を地面に対して固定することができる。この場合、親綱を反対位置側に引っ張る際に、親綱の引っ張り量が多過ぎたり少な過ぎたりすることを回避できる。さらに、作業者が親綱の設置作業を１人で行う場合に、反対位置側にパイロットラインを回収した後に、再び仮置き位置に戻って親綱を地面に対して固定するという必要がないため、作業負担を低減できる。
【００２１】
第５の発明では、第４の発明において、前記固定手段は、上方に向けて開放された複数の収納部（袋体４１）を有しており、前記仮置き工程では、前記複数の収納部のうち少なくとも１つの収納部に水を入れることで、前記親綱を地面に対して固定する重り部（袋体４１）を形成し、該重り部ではない少なくとも１つの収納部に前記パイロットライン及び前記親綱を収納することで、これらパイロットライン及び親綱を前記仮置き位置に仮置きする。
【００２２】
第５の発明によれば、固定手段が複数の収納部を有しているため、仮置き位置にパイロットライン及び親綱を仮置きする作業、及び固定手段を移動しないように地面に対して設置することが容易となる。しかも、複数の収納部のうち、回収工程が行われることでパイロットラインや親綱が引き出された収納部については、水を入れることで重り部を追加して形成することができる。仮置き位置側において、固定手段による親綱の固定強度が不足しているという事態を回避できる。
【００２３】
第６の発明では、第１乃至５のいずれか１つの発明において、前記操作棒は、前記線状部材が着脱可能に接続される被接続部を有し、該被接続部が当該操作棒の一端に配置された状態のまま伸縮可能になっており、前記接続工程では、前記操作棒を伸ばす前の状態で前記被接続部に前記線状部材を接続し、前記移動工程では、伸ばした状態の前記操作棒を用いて前記線状部材を前記屋根の上に載せ、前記接続解除工程では、前記操作棒を縮めた状態で前記被接続部から前記線状部材を取り外す。
【００２４】
第６の発明によれば、操作棒が伸縮可能なため、接続工程及び接続解除工程のいずれにおいても、操作棒を保持している作業者が操作棒の被接続部に線状部材を着脱する作業を容易に行うことができる。このため、作業者が親綱の設置作業を１人で行う際に、例えば伸縮不可な操作棒を用いる場合とは異なり、操作棒を横倒しにして手で保持する側と被接続部側とを行き来するという手間を省くことができる。
【００２５】
第７の発明では、第１乃至６のいずれか１つの発明において、前記仮置き工程では、前記建物の側方のうち、前記屋根の上に登るために梯子（梯子２３）が設置される側に前記仮置き位置を設定する。
【００２６】
梯子の昇降作業や屋根上での作業のために親綱を屋根に設置する場合、親綱の設置作業を行う作業者と、梯子に昇降するための準備作業を行う作業者とが同時進行で作業を進めることで、建築現場における作業効率を高めることができる。ここで、親綱の設置作業を行っている作業者は、移動工程において仮置き位置から離れた後、仮置き位置において線状部材が適正に引き出されていることを視認できない状況になると考えられる。
【００２７】
これに対して、第７の発明によれば、梯子の設置位置の周辺に仮置き位置を設定しているため、親綱の設置作業を行っている作業者とは異なる作業者が、梯子に昇降するための準備作業を梯子の設置位置の近くで行っている場合に、その準備作業を行いながら線状部材が引き出されている状況を視認することができる。このため、昇降の準備作業を行っている作業者が、線状部材が適正に引き出されていない場合にだけ線状部材が適正に引き出されるように親綱の設置作業を補助するということが可能になる。したがって、親綱の設置と梯子に昇降するための準備とを同時進行で行うことで建築現場における作業効率を高めることができ、しかも、親綱の設置作業を適正に進めることができる。
【００２８】
第８の発明の親綱設置用の操作棒は、親綱（親綱２５）を建物（建物１０）の屋根（屋根１３）の上に設置するために操作される親綱設置用の操作棒（操作棒３２）であって、前記親綱及び該親綱を案内するためのパイロットライン（パイロットライン３１）のうち一方を線状部材として、該線状部材の端部に着脱可能に引っ掛けることが可能な引っ掛け部（引っ掛け部３３）が、前記操作棒の先端部に設けられており、前記引っ掛け部は、当該引っ掛け部が前記線状部材の端部に引っ掛けられた状態を保持する保持状態と、同引っ掛け部を前記線状部材の端部から取り外すことが可能な非保持状態とに移行可能であることを特徴とする。
【００２９】
第８の発明によれば、引っ掛け部を非保持状態に移行させるという容易な作業を行うことで操作棒に対する線状部材の着脱が可能になるため、操作棒に線状部材を接続するという前作業、及び操作棒から線状部材を取り外すという後作業について、作業負担を低減できる。また、引っ掛け部を保持状態に移行させることで、操作棒から線状部材が意図せずに離脱することを防止できる。したがって、線状部材の落下について安全性を確保した上で、作業者が操作棒を操作して線状部材を屋根の上という高所に載せる作業を行うことができる。
【００３０】
第９の発明では、第８の発明において、長尺状の棒本体（棒本体３６）と、前記引っ掛け部を有し、前記棒本体の先端部に取り付けられた引っ掛け部材（引っ掛け部材３７）と、を備えている。
【００３１】
第９の発明によれば、引っ掛け部材が棒本体に取り付けられているため、引っ掛け部材を専用品として製造する必要が生じたとしても、棒本体として汎用品を使用することができる。ここで、棒本体は、建物の屋根に届くほどの長さを有する大型の棒状部材であるため、専用品として製造するとコスト負担が大きくなることが懸念されるが、汎用品を使用することでコスト負担を低減できる。
【００３２】
第１０の発明では、第９の発明において、前記引っ掛け部材は、前記引っ掛け部に加えて、前記棒本体に交差する方向に延びているアーム部（アーム部５１）を有しており、前記引っ掛け部は、前記アーム部の自由端側に配置されている。
【００３３】
第１０の発明によれば、引っ掛け部材がアーム部を有していることで、棒本体の延長線上から側方にずれた位置に引っ掛け部が配置されているため、建物の側方において地面の上にいる作業者が、アーム部を屋根の上方に配置させるように操作棒を操作することで、線状部材を屋根の上に載せる作業を容易に行うことができる。しかも、この場合、作業者は建物に近い位置にいても線状部材を屋根の上に敷設することが可能になるため、例えば狭小地に構築された建物についても、その敷地内から線状部材の敷設作業を容易に行うことができる。
【００３４】
これに対して、例えば棒本体の延長線上に引っ掛け部が配置された操作棒では、作業者が建物からある程度離れなければ引っ掛け部を屋根の上方に配置させることができないため、狭小地に構築された建物について、その敷地内から線状部材の敷設作業を行うことが困難になってしまう。
【図面の簡単な説明】
【００３５】
【図１】親綱を設置した状態の建物の斜視図
【図２】パイロットラインの設置作業について説明するための建物の斜視図
【図３】第１アンカー及び操作棒の構成を示す図
【図４】パイロットライン及び親綱の設置手順を示す図
【図５】パイロットライン及び親綱の設置手順を示す図
【図６】別の操作棒の構成を示す図
【発明を実施するための形態】
【００３６】
以下、本発明を具体化した一実施形態について図面を参照しつつ説明する。本実施形態では、本発明の親綱の設置方法を二階建ての住宅に適用して具体化している。図１は親綱２５を設置した状態の建物１０の斜視図である。
【００３７】
図１に示すように、住宅等の建物１０は、基礎１１の上に設けられた建物本体１２と、建物本体１２の上に設けられた屋根１３とを有している。建物本体１２は、一階部分１４及び二階部分１５を有しており、平面視で長方形状とされている。
【００３８】
屋根１３は、切妻屋根とされており、その棟が建物本体１２の長手方向に延びる向きで配置されている。屋根１３は、傾斜した一対の屋根部１３ａ，１３ｂを有しており、これら屋根部１３ａ，１３ｂの接続部分により棟が形成されている。屋根部１３ａ，１３ｂは、建物本体１２の短手方向に並べられており、それぞれ建物本体１２の長手方向に延びている。屋根部１３ａ，１３ｂは、建物本体１２の短手方向及び長手方向のそれぞれにおいて建物本体１２の側方に突出しており、軒先及びけらばを形成している。この場合、軒先は、建物本体１２の長手方向において棟に平行に延びている。
【００３９】
なお、屋根１３は、野地板等の屋根下地材と、この屋根下地材の上に設けられた瓦や折板材等の屋根仕上材（屋根葺き材）とを有している。
【００４０】
本実施形態では、建物１０に太陽光発電装置を新規で設置する際の作業について説明する。太陽光発電装置は、複数の太陽光パネル２１を有しており、これら太陽光パネル２１は屋根１３の上に設置される。太陽光パネル２１は、屋根部１３ａ、１３ｂのそれぞれの上に設置されるものであり、作業者は、太陽光パネル２１の設置作業を行う際に屋根１３の上に登ることになる。
【００４１】
作業者が梯子２３を登ることで屋根１３上に移動する場合、あらかじめ屋根１３に対して親綱２５を設置しておき、作業者は、自身に装着した安全帯等を親綱２５に連結した状態で梯子２３の昇降作業や屋根１３上での太陽光パネル２１の設置作業を行う。梯子２３は、一方の端部が下端として地面の上に置かれた状態で、屋根１３の軒先に立て掛けられている。梯子２３においては、その上端寄りの部分が、屋根部１３ａ，１３ｂのうち第１屋根部１３ａの軒先部分に接触した状態になっている。
【００４２】
親綱２５は、合成樹脂材料や金属材料などにより形成されたロープ等の線状部材であり、柔軟性を有している。屋根部１３ａ，１３ｂの並び方向（建物本体１２の短手方向）に延びており、屋根１３の棟を跨いで屋根部１３ａ，１３ｂの各軒先に掛け渡された状態で設置されている。親綱２５においては、その中間部分が屋根１３の上に配置されている一方で、一端側が第１屋根部１３ａの軒先から下方に向けて延び、他端側が第２屋根部１３ｂの軒先から下方に向けて延びている。
【００４３】
屋根部１３ａ，１３ｂの各軒先の下方位置には固定手段としてのアンカー２６，２７が設置されており、親綱２５は、これらアンカー２６，２７に接続されていることで地面に対して固定されている。アンカー２６，２７のうち第１アンカー２６は、第１屋根部１３ａ側に配置されており、親綱２５において第１屋根部１３ａから下方に延びた部分が第１アンカー２６に接続されている。第１アンカー２６は、棟が延びている方向において屋根１３の一方の側端部（けらば）から所定距離（例えば１ｍ）だけ他方の側端部に近づいた位置に配置されている。
【００４４】
第２アンカー２７は、第２屋根部１３ｂ側に配置されており、親綱２５において第２屋根部１３ｂから下方に延びた部分が第２アンカー２７に接続されている。この場合、親綱２５は、屋根１３の上を通って第１アンカー２６と第２アンカー２７とに掛け渡されており、これらアンカー２６，２７により張力が加えられた状態になっている。
【００４５】
アンカー２６，２７は、いずれも建物１０の側方において地面の上に載置されている。第１アンカー２６は、地面に対して設定された第１位置Ｎ１に配置されており、第２アンカー２７は、第１位置Ｎ１とは建物１０を挟んで反対側において、地面に対して設定された第２位置Ｎ２に配置されている。
【００４６】
ちなみに、親綱２５は、太陽光パネル２１の設置作業を行う上で支障にならない位置に配置されている。具体的には、棟が延びている方向において、太陽光パネル２１を設置する設置領域の側方位置に親綱２５が配置されている。なお、太陽光パネル２１を親綱２５の上に設置しても、太陽光パネル２１の設置後に親綱２５の撤去が可能であれば、親綱２５が太陽光パネル２１の設置領域に配置されていてもよい。
【００４７】
親綱２５の設置作業について、図２〜図５を参照しつつ説明する。図２はパイロットライン３１の設置作業について説明するための建物の斜視図、図３は第１アンカー２６及び操作棒３２の構成を示す図、図４、図５はパイロットライン３１及び親綱２５の設置手順を示す図である。なお、図４には建物１０の概略側面図を示し、図５においては、（ａ）〜（ｃ）に建物１０の概略平面図を示し、（ｄ）に建物１０の概略正面図を示す。
【００４８】
屋根１３に親綱２５を設置する場合、親綱２５に先行してパイロットライン３１を屋根１３の上に敷設し、そのパイロットライン３１を利用して親綱２５を屋根１３の上に引き上げる。パイロットライン３１は、合成樹脂材料や金属材料により形成されたワイヤ等の線状部材であり、弾性変形が可能になっている。パイロットライン３１は、親綱２５に比べて軽量に形成されており、単位長さ当たりの重量が親綱２５よりも小さくなっている。また、パイロットライン３１を、呼び線やパイロットロープと称することもできる。
【００４９】
図２に示すように、作業者は、操作棒３２を用いることでパイロットライン３１を屋根１３の上に敷設する。操作棒３２は、作業者に保持された状態で屋根１３において最も高い位置にある棟に届く程度の長さ寸法（例えば７〜８ｍ）を有しており、その先端部にパイロットライン３１が接続された状態で作業者により操作される。
【００５０】
なお、操作棒３２は、作業者に保持された状態で屋根１３において最も低い位置にある軒先に届く程度の長さ寸法を有していてもよい。この場合でも、作業者は、操作棒３２を操作することでパイロットライン３１を軒先の上に載せ、その状態からパイロットライン３１を棟に向けて移動させることが可能になる。
【００５１】
図３に示すように、操作棒３２は、その先端部に設けられた引っ掛け部３３を有し、パイロットライン３１の一端には、貫通孔を有するリング部３４が設けられており、引っ掛け部３３がリング部３４に引っ掛け可能になっている。引っ掛け部３３は、リング部３４に引っ掛けられた場合にその引っ掛けられた状態を保持する保持状態と、リング部３４に対する引っ掛け及び取り外しが可能な非保持状態とに移行可能になっている。これにより、リング部３４に対する引っ掛け部３３の着脱を容易に行うことができる一方で、引っ掛け部３３がリング部３４から意図せずに外れるということを防止できる。
【００５２】
引っ掛け部３３は、開放部分を有するフック体３３ａと、フック体３３ａの開放部分を閉鎖可能な開閉体３３ｂとを有しており、開閉体３３ｂはフック体３３ａに対して開閉可能に軸支されている。開閉体３３ｂは、フック体３３ａの内側に向けて回動することで開状態に移行し、外側に向けて回動することで閉状態に移行する。開閉体３３ｂは、閉状態に保持されるようにバネ等の付勢手段により付勢されており、その付勢力に抗する外力が加えられることで開状態に移行する。引っ掛け部３３は、開閉体３３ｂが閉状態にある場合に保持状態になっており、開閉体３３ｂが開状態にある場合に非保持状態になっている。
【００５３】
なお、引っ掛け部３３は、パイロットライン３１が着脱可能に接続される被接続部に相当する。
【００５４】
操作棒３２は、長尺状の棒本体３６と、引っ掛け部３３が形成された引っ掛け部材３７とを有している。引っ掛け部材３７は、棒本体３６の一端に取り付けられている。引っ掛け部材３７は、引っ掛け部３３に加えて、棒本体３６の一端に着脱可能に装着された装着部３８を有している。装着部３８は、引っ掛け部３３とは反対側に向けて開放された中空部を有しており、この中空部に棒本体３６の一端が挿入されることでその棒本体３６に装着されている。装着部３８は、ゴム等の弾性変形可能な材料により形成されており、その中空部に棒本体３６が挿入されることで弾性変形し、棒本体３６を中空部から離脱させないようになっている。
【００５５】
棒本体３６は、引っ掛け部３３を操作棒３２の一端に配置した状態のまま伸縮することが可能になっている。棒本体３６は、筒状の本体部を複数有しており、隣り合う本体部のうち一方が他方の内部に収納されることで縮み、一方が他方の内部から引き出されることで伸びるようになっている。棒本体３６において、複数の本体部には、他の本体部をすべて収納可能な外側本体部と、棒本体３６が収縮しても他の本体部を内部に収納しない内側本体部３６ａとが含まれている。引っ掛け部材３７は、内側本体部３６ａの端部に取り付けられていることで、棒本体３６が収縮しても操作棒３２の一端に配置された状態が保持されるようになっている。各本体部は、ＦＲＰ等の合成樹脂材料により形成されている。
【００５６】
なお、作業者が操作棒３２を保持する場合、棒本体３６の外側本体部を手で持つことになる。
【００５７】
アンカー２６，２７は、それぞれ袋体４１を複数（例えば４個）有している。袋体４１は、上方に向けて開放された内部空間を有しており、その内部空間には物品を収納することが可能になっている。袋体４１は、布材料や合成樹脂材料等の防水性を有する材料により形成されており、物品に加えて、水等の液体を貯留することが可能になっている。袋体４１は、所定の収納容量（例えば２０〜３０Ｌ）を有しており、液体等が入れられることで重り部としての役割を果たすことが可能になっている。袋体４１は、底部と側面部とを有しており、液体や物品が地面の上に置かれた場合に自立することができるようになっている。袋体４１は収納部に相当する。
【００５８】
なお、袋体４１は、持ち手を有しており、この持ち手は、開口部を跨いで側面部の上部に掛け渡した状態で取り付けられている。また、図３には、第１アンカー２６を図示している。
【００５９】
次に、親綱２５を設置する際の作業手順について説明する。
【００６０】
まず、アンカー２６，２７を設置する（図１参照）。ここでは、第１アンカー２６及び第２アンカー２７を第１位置Ｎ１及び第２位置Ｎ２において地面の上に置き、これらアンカー２６，２７の各袋体４１に水を入れる。
【００６１】
ただし、第１アンカー２６においては、全ての袋体４１に水を入れるのではなく、いくつかの袋体４１には親綱２５やパイロットライン３１を入れておく。複数の袋体４１のうち、袋体４１ａには親綱２５を入れ、袋体４１ｂにはパイロットライン３１を入れ、さらに、その他の袋体４１に水を入れておく。パイロットライン３１は、その先端部（リング部３４側の端部）が引っ張られることで引き出される状態で袋体４１ｂに収納されている。また、パイロットライン３１の終端部（リング部３４とは反対側の端部）は、粘着テープ等の接続部材４２により親綱２５の一端に接続されている。
【００６２】
また、第２アンカー２７においても、全ての袋体４１に水を入れるのではなく、１つの袋体４１は水を入れずに空の状態にしておく。
【００６３】
親綱２５は、その先端部（パイロットライン３１に接続された方の端部）が引っ張られることで引き出される状態で袋体４１ａに収納されている。親綱２５の終端部（パイロットライン３１とは反対側の端部）は、接続金具等の接続具により第１アンカー２６の全ての袋体４１に接続されている。例えば、接続具は、各袋体４１の持ち手に対して親綱２５の終端部を接続している。なお、親綱２５及びパイロットライン３１が、それぞれの先端部が引っ張られることで引き出される状態としては、巻回して束にされた状態が挙げられる。また、接続具は、袋体４１に対して持ち手とは異なる部分に対して接続されていてもよい。
【００６４】
親綱２５及びパイロットライン３１を収納した袋体４１ａ，４１ｂを第１位置Ｎ１に設置することは、親綱２５及びパイロットライン３１を第１位置Ｎ１に引き出し可能な状態で仮置きすることになる。この場合、第１位置Ｎ１は、親綱２５及びパイロットライン３１にとっての仮置き位置に相当し、袋体４１ａ，４１ｂを用いて親綱２５やパイロットライン３１を第１位置Ｎ１に仮置きする作業が仮置き工程に相当する。
【００６５】
親綱２５及びパイロットライン３１を第１位置Ｎ１に仮置きした後、図４（ａ）に示すように、操作棒３２の引っ掛け部３３にパイロットライン３１の先端部（リング部３４）を接続する接続工程を行う。この工程では、操作棒３２を伸ばしていない非伸長状態としたまま、操作棒３２に対するパイロットライン３１の接続作業を行うことで、第１作業者Ｐ１は、その接続作業が終了した後に大きく移動することなく操作棒３２の外側本体部を手で持つことが可能になる。
【００６６】
そして、図４（ｂ）に示すように、第１作業者Ｐ１は、建物１０の長辺部の側方位置において、操作棒３２を保持した状態でその操作棒３２を伸ばす、という伸長工程を行う。第１作業者Ｐ１は、操作棒３２を上下方向に立てた状態で、その先端部が屋根１３の最も高い部分（棟）よりも高い位置に配置できる程度の長さまで伸す。この場合、操作棒３２の伸長に伴ってパイロットライン３１が第１アンカー２６の袋体４１ｂから引き出されるため、操作棒３２を伸ばす際の作業負担を低減できる。また、この場合、図５（ａ）にも示すように、第１作業者Ｐ１は、建物１０よりも第１アンカー２６側の位置にいることになる。
【００６７】
その後、第１作業者Ｐ１は、第１位置Ｎ１側から建物１０の外周を回り込んで第２位置Ｎ２側に移動する移動工程を行う。この移動工程において第１作業者Ｐ１は、図４（ｃ）、図５（ｂ），（ｄ）に示すように、まず、パイロットライン３１が屋根１３の上に載るように操作棒３２を操作しながら、建物１０における第１位置Ｎ１側の出隅部分の外側を回り込むことで、建物１０の長辺部の側方位置（第１屋根部１３ａの軒先の下方位置）から建物１０の短辺部の側方位置（「けらば」の下方位置）に移動する。
【００６８】
第１作業者Ｐ１は、建物１０から側方にある程度離れた位置を通り、操作棒３２をその先端部（引っ掛け部３３）が屋根１３の上側に存在するように斜めに傾け、それによって、建物１０の出隅部分の外側を回り込む際にパイロットライン３１を屋根１３の角部分の上に載せる。この場合、パイロットライン３１を第１屋根部１３ａの軒先の側端部に上から引っ掛けるとともに、パイロットライン３１が第１屋根部１３ａ側から棟を越えて第２屋根部１３ｂ側に掛け渡されるように操作棒３２を操作する。なお、第１作業者Ｐ１が第１アンカー２６から遠ざかる向きに移動するだけでパイロットライン３１は袋体４１ｂから引き出されることになる。
【００６９】
ここで、第１作業者Ｐ１が第２位置Ｎ２側への移動を開始するよりも前のタイミングで、第１作業者Ｐ１とは異なる第２作業者Ｐ２が、第１位置Ｎ１側において梯子２３に昇降するための準備作業を開始する。例えば、第２作業者Ｐ２は、既に梯子２３を第１位置Ｎ１の近くに運んでおき、その状態で自身への安全帯の装着を開始する。この場合、第２作業者Ｐ２は、昇降の準備作業を行いながら、袋体４１ａ，４１ｂからパイロットライン３１や親綱２５が繰り出される状態を視認することが可能になっている。このため、パイロットライン３１や親綱２５が絡まるなど繰り出し状態が不適になった場合には、第１作業者Ｐ１に知らせることや、その繰り出し状態を適正に戻すための作業を行うことができる。
【００７０】
第１作業者Ｐ１は、建物１０の「けらば」の下方位置に移動した後、図４（ｄ）、図５（ｃ）に示すように、建物１０における第２位置Ｎ２側の出隅部分の外側を回り込むことで、建物１０を挟んで第１位置Ｎ１とは反対側の反対位置Ｍに移動する。反対位置Ｍは、第２屋根部１３ｂの軒先の下方位置であって第２位置Ｎ２に近い位置であり、第１作業者Ｐ１が第２アンカー２７に対して所定作業を行うことが可能になっている。
【００７１】
第１作業者Ｐ１は、反対位置Ｍに移動した後、図４（ｅ）に示すように、操作棒３２を保持した状態でその操作棒３２を縮めるという収縮工程を行う。第１作業者Ｐ１は、伸長工程と同様に、操作棒３２を上下方向に立てた状態で非伸長状態になるまで縮める。
【００７２】
その後、図４（ｆ）に示すように、第１作業者Ｐ１は、操作棒３２に対するパイロットライン３１の接続を解除する接続解除工程を行う。この接続解除工程では、操作棒３２の引っ掛け部３３からパイロットライン３１のリング部３４を取り外す。そして、パイロットライン３１を第２位置Ｎ２側に引き寄せる。ここで、パイロットライン３１において引き寄せた部分は、第２アンカー２７の各袋体４１のうち水を入れずに空にしてある袋体４１に入れていく。これにより、第２アンカー２７の袋体４１の１つをパイロットライン３１の収納部として利用することができる。
【００７３】
第１作業者Ｐ１は、第２位置Ｎ２側にパイロットライン３１の全てを回収した後、接続部材４２を取り外すことでパイロットライン３１と親綱２５との接続を解消する。また、第１作業者Ｐ１は、親綱２５の終端部が第１アンカー２６の袋体４１ａから引き上げられ、それ以上の引き上げが第１アンカー２６の重さにより規制された状態になるまで、第２位置Ｎ２側に向けて親綱２５を引き寄せる。この場合、第１位置Ｎ１を視認している第２作業者Ｐ２が、親綱２５の引き寄せを終了するように第１作業者Ｐ１に指示を出すことが好ましい。これにより、第１作業者Ｐ１による親綱２５の引き寄せが多過ぎたり少な過ぎたりすることを防止できる。
【００７４】
第１作業者Ｐ１は、親綱２５の引き寄せ作業を終了した後、その親綱２５の先端側の部分を第２アンカー２７に接続する。これにより、図１に示すように、親綱２５を弛みがない状態で屋根１３に設置することができる。その後、第２作業者Ｐ２は、梯子２３を第１アンカー２６の近くにおいて第１屋根部１３ａの軒先に立て掛け、親綱２５に安全帯を連結して梯子２３の昇降を開始する。親綱２５を設置した後に梯子２３の設置作業を行うことで、梯子２３の設置作業を先に行った場合とは異なり、パイロットライン３１や親綱２５が梯子２３に引っ掛かってしまうということを防止できる。
【００７５】
なお、親綱２５の設置作業が終了した後、第１アンカー２６の袋体４１ａ，４１ｂは、親綱２５やパイロットライン３１が引き出されたことで空になっている。そこで、袋体４１ａ，４１ｂに水を入れることで、第１アンカー２６の重量を増加させる。これにより、第１アンカー２６による親綱２５の固定強度を高めることができる。
【００７６】
また、第２アンカー２７においては、回収したパイロットライン３１を袋体４１から取り出して片付けることで、その袋体４１が再び空になる。そこで、その袋体４１に水を入れて第２アンカー２７の重量を増加させる。これにより、第２アンカー２７による親綱２５の固定強度を高めることができる。
【００７７】
以上詳述した本実施形態によれば、以下の優れた効果が得られる。
【００７８】
第１位置Ｎ１においては、地面に置かれた袋体４１ｂにパイロットライン３１が収納されているため、第１作業者Ｐ１が操作棒３２を持って第１位置Ｎ１から第２位置Ｎ２に移動する際に、別の作業者（例えば第２作業者Ｐ２）が第１位置Ｎ１からのパイロットライン３１の繰り出し作業を行うという必要がない。このため、パイロットライン３１の敷設作業を第１作業者Ｐ１が１人で行うことができる。
【００７９】
例えば、第１位置Ｎ１に棒部材が立設され、その棒部材の上端からパイロットライン３１が繰り出されるという構成では、その棒部材を別の作業者が手で支えている必要がある。また、棒部材が屋根１３に届くほどの長さを有していれば、この棒部材が倒れた場合に、建物１０や人に接触する可能性が高くなってしまう。これに対して、本実施形態では、棒部材を用いずにパイロットライン３１の繰り出しが行われているため、パイロットライン３１の敷設に際して安全性が低下することを抑制できる。
【００８０】
したがって、親綱２５を屋根１３に設置する際に安全性を確保でき、しかも、コスト負担を低減できる。
【００８１】
パイロットライン３１の終端部と親綱２５の先端部とが接続された状態でパイロットライン３１の敷設作業が行われるため、第１作業者Ｐ１は、第１位置Ｎ１から反対位置Ｍに移動した後、パイロットライン３１を第２位置Ｎ２側（反対位置Ｍ側）に回収することで、第１位置Ｎ１側に戻らなくても親綱２５を屋根１３の上に設置できる。このため、パイロットライン３１を敷設した後に、第１作業者Ｐ１が第１位置Ｎ１側と第２位置Ｎ２側とを往復するという手間を省くことができる。
【００８２】
親綱２５の終端部が第１アンカー２６に接続された状態でパイロットライン３１の敷設作業及び回収作業が行われるため、第１作業者Ｐ１は、親綱２５を弛みがない状態になるまで第２位置Ｎ２側に引っ張るという容易な作業を行うことで、親綱２５の終端部を第１アンカー２６により固定することができる。このため、第１作業者Ｐ１は、親綱２５を屋根１３の上に敷設した後に、再び第１位置Ｎ１側に戻って親綱２５を第１アンカー２６に固定するという作業を行う必要がない。
【００８３】
アンカー２６，２７が複数の袋体４１を有しているため、これら袋体４１を、水を入れることで重り部として利用すること、及びパイロットライン３１や親綱２５を入れておく収納部として利用することの両方が可能になる。したがって、重り部と収納部とを別々の専用部材として準備する必要がないため、作業負担及びコスト負担の両方を低減できる。
【００８４】
操作棒３２が伸縮可能になっているため、伸縮させることができない操作棒を使用する場合とは異なり、操作棒３２に対するパイロットライン３１の着脱作業を第１作業者Ｐ１が１人で行う際に、操作棒３２を地面に横倒しの状態で置いて操作棒３２の根元側と先端側とを行き来するという手間を省くことができる。
【００８５】
操作棒３２の先端部に引っ掛け部３３が設けられているため、その引っ掛け部３３にパイロットライン３１のリング部３４を引っ掛けるという容易な作業を行うことで、操作棒３２に対するパイロットライン３１の接続作業を行うことができる。また、引っ掛け部３３は保持状態にあることで、パイロットライン３１が引っ掛かった状態を保持するため、パイロットライン３１の敷設作業を行っている最中にパイロットライン３１が意図せずに操作棒３２の先端部から外れるということを防止できる。
【００８６】
操作棒３２においては、棒本体３６の先端部に引っ掛け部材３７が取り付けられているため、引っ掛け部材３７を専用品として製造する必要が生じたとしても、棒本体３６は専用品ではなく汎用品を使用することができる。これにより、操作棒３２についてコスト負担の低減を実現できる。
【００８７】
［他の実施形態］
本発明は上記実施形態の記載内容に限定されず、例えば次のように実施されてもよい。
【００８８】
（１）操作棒３２が、その長手方向に交差する方向に延びたアーム部を有していてもよい。例えば、図６（ａ），（ｂ）に示すように、操作棒３２の引っ掛け部材３７がアーム部５１を備えた構成とする。この構成では、アーム部５１が装着部３８の先端部から棒本体３６に直交する方向に延びている。アーム部５１は、所定の長さ寸法（例えば３０〜５０ｃｍ）を有しており、その先端部（自由端側）に引っ掛け部３３が配置されている。このため、第１作業者Ｐ１がこの操作棒３２を用いてパイロットライン３１の敷設作業を行う場合に、第１作業者Ｐ１は、操作棒３２と屋根１３との離間距離がアーム部５１の長さ寸法より小さくなる位置を通ることで、操作棒３２を斜めに傾けなくてもアーム部５１の先端部（引っ掛け部３３）を屋根１３の上側に存在させることができる。これにより、パイロットライン３１の敷設作業を容易化することができる。
【００８９】
また、操作棒３２を斜めに傾けなくてもパイロットライン３１を屋根１３の上に載せることができるため、第１作業者Ｐ１は、建物１０から側方にある程度離れるという必要がない。このため、仮に建物１０が狭小地に構築されていることなどに起因して、敷地境界線と建物１０との離間距離が操作棒３２を斜めに傾けることができないほどに小さくても、第１作業者Ｐ１が敷地内にいながらにして操作棒３２を用いてパイロットライン３１を屋根１３の上に敷設することができる。
【００９０】
（２）上記実施形態では、操作棒３２の引っ掛け部３３において、開閉体３３ｂが付勢手段により付勢されていたが、引っ掛け部３３が保持状態と非保持状態とに移行可能であれば、開閉体３３ｂは付勢されていなくてもよい。例えば、開閉体３３ｂが雌ネジを有し、フック体３３ａの端部が雄ネジを有しており、フック体３３ａに対する開閉体３３ｂのねじ込みの状態に応じて保持状態と非保持状態とが切り替えられる構成とする。また、引っ掛け部３３が保持状態と非保持状態とに切り替えられるのであれば、引っ掛け部３３はフック体３３ａや開閉体３３ｂを含まずに形成されていてもよい。
【００９１】
（３）上記実施形態では、操作棒３２において、装着部３８が弾性変形することで引っ掛け部材３７が棒本体３６に装着されていたが、引っ掛け部材３７が棒本体３６に着脱可能であれば、引っ掛け部材３７は棒本体３６に対して螺着されていてもよく、ビス等の固定具により固定されていてもよい。
【００９２】
また、引っ掛け部材３７は、棒本体３６に対して着脱できない状態で設けられていてもよい。例えば、内側本体部３６ａと引っ掛け部材３７とが一体成型された構成とする。
【００９３】
（４）上記実施形態では、パイロットライン３１が弾性変形可能であり、親綱２５が柔軟性を有していたが、パイロットライン３１及び親綱２５の両方が弾性変形可能としてもよく、これら両方が柔軟性を有していてもよい。
【００９４】
（５）上記実施形態では、操作棒３２が伸縮可能な構成とされたが、操作棒３２は伸縮させることができない構成としてもよい。この場合でも、接続工程や接続解除工程において、大型の操作棒３２を地面に横倒しの状態で置き、第１作業者Ｐ１が操作棒３２の先端部に移動することで、操作棒３２に対するパイロットライン３１の接続及び接続解除を行うことができる。
【００９５】
（６）上記実施形態では、仮置き工程においてパイロットライン３１と親綱２５とを別々の袋体４１ａ，４１ｂに入れておいたが、これらパイロットライン３１と親綱２５とは１つの袋体４１に入れておいてもよい。この場合でも、１つの袋体４１の内部において、親綱２５の上にパイロットライン３１を配置することで、パイロットライン３１に続いて親綱２５が繰り出される状態をつくり出すことができる。
【００９６】
また、パイロットライン３１や親綱２５は、操作棒３２の操作に伴って繰り出し可能な状態で第１位置Ｎ１に仮置きされていれば、袋体４１に入れられていなくてもよい。つまり、パイロットライン３１や親綱２５は、アンカー２６，２７に収納されているのではなく、専用の収納体に収納されていてもよい。
【００９７】
（７）上記実施形態では、固定手段としてのアンカー２６，２７が水の入れられた袋体４１とされていたが、アンカー２６，２７は、鋼材やコンクリートブロック等の重量物とされていてもよい。この場合、パイロットライン３１や親綱２５を収納する収納部は、アンカー２６，２７とは別に設けられていることが好ましい。また、親綱２５は、基礎１１や建物１０の躯体の一部に対して固定されていてもよい。この場合は、基礎１１や躯体が固定手段に相当する。
【００９８】
（８）上記実施形態では、親綱２５の設置作業について、仮置き工程の後に接続工程が行われていたが、接続工程は仮置き工程の前に行われてもよい。この場合、第１作業者Ｐ１等は、操作棒３２の引っ掛け部３３にパイロットライン３１のリング部３４を引っ掛けた状態で、これら操作棒３２とパイロットライン３１とをまとめて第１位置Ｎ１に運べばよい。
【００９９】
また、接続解除工程は、回収工程の前ではなく回収工程の後に行われてもよい。これは、第１作業者Ｐ１が、パイロットライン３１を第２位置Ｎ２側に回収した後でも、そのパイロットライン３１を操作棒３２から取り外すことが可能なためである。
【０１００】
（９）上記実施形態では、第１位置Ｎ１においてパイロットライン３１及び親綱２５の両方を仮置きしたが、第１位置Ｎ１にはパイロットライン３１だけを仮置きし、親綱２５は第２位置Ｎ２に仮置きしてもよい。この場合、第１作業者Ｐ１は、反対位置Ｍに移動することでパイロットライン３１を敷設した後、そのパイロットライン３１を操作棒３２から取り外して親綱２５の先端部に接続し、第１位置Ｎ１側に戻ってこの第１位置Ｎ１側にパイロットライン３１を引き戻すことで回収する。この作業手順でも、屋根１３の上に親綱２５を設置することができる。
【０１０１】
（１０）上記実施形態では、親綱２５を屋根１３の上に設置する際にパイロットライン３１を使用したが、パイロットライン３１を使用しなくてもよい。例えば、パイロットライン３１ではなく親綱２５を操作棒３２に接続し、操作棒３２を操作することで親綱２５を屋根１３の上に載せる方法とする。この方法では、接続工程において、親綱２５の先端部にリング部を取り付けておき、そのリング部を操作棒３２の引っ掛け部３３に引っ掛ける。また、移動工程では、第１作業者Ｐ１が親綱２５が屋根１３の上に載るように操作棒３２を操作しながら移動する。接続解除工程では、親綱２５のリング部を引っ掛け部３３から取り外すことで、操作棒３２に対する親綱２５の接続を解除する。
【０１０２】
操作棒３２にパイロットライン３１及び親綱２５のいずれを接続する場合でも、操作棒３２に線状部材を接続することになり、第１作業者Ｐ１は、操作棒３２を操作することで線状部材を屋根１３の上に載せることになる。なお、操作棒３２に親綱２５を接続する場合には、親綱２５が弾性変形可能な線状部材とされていることが好ましい。これにより、操作棒３２を用いて親綱２５を屋根１３の上に載せる作業を容易化できる。
【０１０３】
（１１）上記実施形態では、第１位置Ｎ１は地面に対して設定されていたが、第１位置Ｎ１は地面から上方に離間した位置（地面付近）に設定されていてもよい。例えば、地面の上に仮置き台が載置され、その仮置き台の上に第１アンカー２６が置かれてもよい。
【０１０４】
（１２）上記実施形態では、親綱２５を設置した後に梯子２３を屋根１３に立て掛けたが、梯子２３を屋根１３に立て掛けた状態で親綱２５の設置作業を行ってもよい。
【０１０５】
（１３）上記実施形態では、新規の太陽光パネル２１を建物１０の屋根１３に取り付ける際に親綱２５が設置されたが、親綱２５は、既設の太陽光パネル２１のメンテナンスや、既設の屋根１３のメンテナンス、建物１０の新築工事に際して設置されてもよい。
【０１０６】
（１４）上記実施形態では、親綱２５を棟に交差して延びるように設置したが、親綱２５を棟に沿って延びるように設置してもよい。また、親綱２５を設置する屋根１３は、切妻屋根ではなく、寄棟屋根や片流れ屋根、陸屋根とされていてもよい。
【符号の説明】
【０１０７】
１０…建物、１３…屋根、２３…梯子、２５…線状部材としての親綱、２６…固定手段としての第１アンカー、３１…線状部材としてのパイロットライン、３２…操作棒、３３…被接続部としての引っ掛け部、３６…棒本体、３７…引っ掛け部材、４１…重り部を形成する収納部としての袋体、５１…アーム部、Ｎ１…仮置き位置としての第１位置、Ｍ…反対位置、Ｐ１…作業者としての第１作業者。
【図１】
2016008434.tif 000003
【図２】
2016008434.tif 000004
【図３】
2016008434.tif 000005
【図４】
2016008434.tif 000006
【図５】
2016008434.tif 000007
【図６】
2016008434.tif 000008